【事件の表示】
　特許第２７５６９５９号「記録情報再生装置」の特許に対する特許異議の申立てについて、次のとおり決定する。
【結論】
　訂正を認める。
　特許第２７５６９５９号の特許を維持する。
【理由】
（手続の経緯）
　特許第２７５６９５９号の特許請求の範囲の請求項１に係る発明は、昭和６０年７月３日に出願された特願昭６０−１４７４７１号の一部を平成８年１１月２２日に分割出願したものであって、平成１０年３月１３日に設定登録され、その後、特許異議の申し立てがなされ、取消理由通知がなされ、その指定期間内である平成１１年４月３０日に訂正請求がなされたものである。
（訂正の適否）
（訂正事項）
・訂正事項ａは、請求項１に係る発明における「前記プログラム情報のアドレス情報の表示を一定周期で順次更新し、」を特許請求の範囲の減縮を目的として、「メモリプレイモードが選択されている場合にはメモリ内のポインターを一定周期で＋１あるいは−１して順次更新するとともに、前記ポインターの示す前記プログラム情報のアドレス情報によって表示を順次更新し、
　メモリプレイモードが選択されていない場合には前記プログラム情報のアドレス情報の表示を一定周期で＋１あるいはー１して順次更新し、
　前記操作手段による操作状態の終了時に前記更新を停止し、」と訂正するものである。
・訂正事項ｂは、発明の詳細な説明の欄（段落【０００９】）の「蓋体を７８閉塞するために駆動するものである。」を誤記の訂正を目的として「蓋体７８を閉塞するために駆動するものである。」と訂正するものである。
（訂正の目的の適否・新規事項の有無及び拡張・変更の存否）
　訂正事項ａは、訂正前の「前記プログラム情報のアドレス情報の表示を一定周期で順次更新し、」を「メモリプレイモードが選択されている場合にはメモリ内のポインターを一定周期で＋１あるいは−１して順次更新するとともに、前記ポインターの示す前記プログラム情報のアドレス情報によって表示を順次更新し、
　メモリプレイモードが選択されていない場合には前記プログラム情報のアドレス情報の表示を一定周期で＋１あるいはー１して順次更新し、
　前記操作手段による操作状態の終了時に前記更新を停止し、」と訂正するものであって、特許請求の範囲を減縮するものに相当し、新規事項の追加に該当せず、実質的に特許請求の範囲を拡張又は変更するものではない。
　また、訂正事項ｂは、誤記の訂正に相当する。
（独立特許要件の判断）
　訂正明細書の請求項１に係る発明は以下のとおりである。
「複数のプログラム情報が記録されている記録媒体から所望のプログラム情報を検索して再生する記録情報再生装置において、
　前記プログラム情報のアドレス情報を表示する表示部と、
　前記アドレス情報を指定する操作手段と、
　前記記録媒体から情報を読み取るピックアップと、
　前記ピックアップを前記記録媒体の半径方向に駆動するピックアップ駆動機構とを備え、
　前記表示部は、前記操作手段によって操作状態が継続している間、
　メモリプレイモードが選択されている場合にはメモリ内のポインターを一定周期で＋１あるいはー１して順次更新するとともに、前記ポインターの示す前記プログラム情報のアドレス情報によって表示を順次更新し、
　メモリプレイモードが選択されていない場合には前記プログラム情報のアドレス情報の表示を一定周期で＋１あるいはー１して順次更新し、
　前記操作手段による操作状態の終了時に前記更新を停止し、
　前記ピックアップ駆動機構は、前記表示部に前記更新の停止によって最終的に表示されているアドレス情報に対応したプログラム情報を検索し再生することを特徴とする記録情報再生装置。」
　これに対して、当審が通知した取消理由で引用した、特開昭６０−１３３６６号公報（以下、引用例という）には、
「ディスクの中の不要な曲を飛ばして演奏したい場合や、すでに通過した曲を再度演奏したい場合には、、それぞれ前進スキップキー８、または後退スキップキー７を用いて飛び越し選曲を行うのであるが、２つのキースイッチ７，８はいずれも押圧されている間は曲番表示が」周期的（例えば０．５秒おきに）１つずつ減少または増加していき、キースイッチの押圧が解除された時点で曲番表示に表示された曲にピックアップを移動させ、演奏を開始する。」という記載がなされている
　そこで、訂正明細書の請求項１に係る発明と上記引用例に記載の発明とを対比すると、引用例に記載の発明は、訂正明細書の請求項１に係る発明の構成要件であるところの、
「表示部が、操作手段によって操作状態が継続している間、
　メモリプレイモードが選択されている場合にはメモリ内のポインターを一定周期で＋１あるいはー１して順次更新するとともに、ポインターの示すプログラム情報のアドレス情報によって表示を順次更新し、
　メモリプレイモードが選択されていない場合にはプログラム情報のアドレス情報の表示を一定周期で＋１あるいは−１して順次更新し、
　操作手段による操作状態の終了時に前記更新を停止する」
　という構成が記載されていず、またそのことを示唆する記載もなされてはいない。（引用例に記載のものは、訂正明細書の請求項１に係る発明の「表示部が、操作手段によって操作状態が継続している間、
　メモリプレイモードが選択されていない場合にはプログラム情報のアドレス情報の表示を一定周期で＋１あるいはー１して順次更新し、
　操作手段による操作状態の終了時に前記更新を停止する」に相当する部分だけであって、メモリプレイモードが選択されている場合にのことについては何等考慮されていない。）そして、本件請求項１に係る発明特有の作用・効果を奏するものであるので、訂正後の本件請求項１に係る発明は引用例に記載の発明に基づいて当業者が容易にできたものとはいえない。
　したがって、訂正明細書の請求項１に係る発明は特許出願の際に独立して特許を受けることができるものである。
（むすび）
　以上のとおりであるから、上記訂正は、特許法第１２０条の４第２項及び３項で準用する第１２６条第２ー４項の規定に適合するので、当該訂正を認める。
（特許異議申立についての判断）
（申立の理由の概要）
　特許異議申立人中村吉孝は、甲第１号証（特開昭６０−１３３６６号公報）を挙げて、本件請求項１に係る発明は、甲第１号証に記載の発明に基づいて当業者が容易に発明をすることができたものであるから、本件請求項１に係る特許は特許法第２９条第２項の規定に該当し同法第１１３条第１項第２号の規定により、その登録は取り消されるべきである旨主張している。
（当審の判断）
・甲第１号証の内容
　甲第１号証は上記引用例と同じである。
・対比及び判断
　甲第１号証は引用例と同じであるので、上記独立特許要件の判断の項で述べたと同じ理由で、訂正明細書の請求項１に係る発明は甲第１号証に記載の発明に基づいて当業者が容易にできたものとはいえない。
　また、他に訂正明細書の請求項１に係る特許を取り消すべき理由を発見しない。
　よって、結論のとおり決定する。
【異議決定日】
平成１１年５月３１日（１９９９．５．３１）
【訂正の要旨】
（３）訂正の要旨
▲１▼訂正事項ａ
　特許請求の範囲の「複数のプログラム情報が記録されている記録媒体から所望のプログラム情報を検索して再生する記録情報再生装置において、前記プログラム情報のアドレス情報を表示する表示部と、前記アドレス情報を指定する操作手段と、前記記録媒体から情報を読み取るピックアップと、前記ピックアップを前記記録媒体の半径方向に駆動するピックアップ駆動機構とを備え、前記表示部は、前記操作手段によって操作状態が継続している間、前記プログラム情報のアドレス情報の表示を一定周期で順次更新し、前記操作手段による操作状態の終了時に前記更新を停止し、前記ピックアップ駆動機構は、前記表示部に前記更新の停止によって最終的に表示されているアドレス情報に対応したプログラム情報を検索し再生することを特徴とする記録情報再生装置。」を、特許請求の範囲の減縮を目的として、
　「複数のプログラム情報が記録されている記録媒体から所望のプログラム情報を検索して再生する記録情報再生装置において、前記プログラム情報のアドレス情報を表示する表示部と、前記アドレス情報を指定する操作手段と、前記記録媒体から情報を読み取るピックアップと、前記ピックアップを前記記録媒体の半径方向に駆動するピックアップ駆動機構とを備え、前記表示部は、前記操作手段によって操作状態が継続している間、メモリプレイモードが選択されている場合にはメモリー内のポインターを一定周期で＋１あるいは−１して順次更新するとともに、前記ポインターの示す前記プログラム情報のアドレス情報によって表示を順次更新し、メモリプレイモードが選択されていない場合には前記プログラム情報のアドレス情報の表示を一定周期で＋１あるいは、−１して順次更新し、前記操作手段による操作状撫の終了時に前記更新を停止し、前記ピックアップ駆動機構は、前記表示部に前記更新の停止によって最終的に表示されているアドレス情報に対応したプログラム情報を検索し再生することを特徴とする記録情報再生装置。」と訂正する。
▲２▼訂正事項ｂ
　明細書段落【０００９】の２行目「蓋体を７８閉塞するために駆動するものである。」を、誤記の訂正を目的として、
「蓋体７８を閉塞するために駆動するものである。」と訂正する。
（５４）【発明の名称】
記録情報再生装置
（５７）【特許請求の範囲】
　　【請求項１】　複数のプログラム情報が記録されている記録媒体から所望のプログラム情報を検索して再生する記録情報再生装置において、
　前記プログラム情報のアドレス情報を表示する表示部と、
　前記アドレス情報を指定する操作手段と、
　前記記録媒体から情報を読み取るピックアップと、
　前記ピックアップを前記記録媒体の半径方向に駆動するピックアップ駆動機構とを備え、
　前記表示部は、前記操作手段によって操作状態が継続している間、
　メモリプレイモードが選択されている場合にはメモリー内のポインターを一定周期で＋１あるいは−１して順次更新するとともに、前記ポインターの示す前記プログラム情報のアドレス情報によって表示を順次更新し、
　メモリプレイモードが選択されていない場合には前記プログラム情報のアドレス情報の表示を一定周期で＋１あるいは、−１して順次更新し、
　前記操作手段による操作状態の終了時に前記更新を停止し、
　前記ピックアップ駆動機構は、前記表示部に前記更新の停止によって最終的に表示されているアドレス情報に対応したプログラム情報を検索し再生することを特徴とする記録情報再生装置。
【発明の詳細な説明】
　　　【０００１】
　　【産業上の利用分野】
　本発明は、ディジタルオーディオディスク等に記録された情報を再生する記録情報再生装置に関する。
　　　【０００２】
　　【従来技術】
　ディジタルオーディオディスク等に記録されている複数のプログラム情報から任意のプログラム情報を選択する場合、ネクストプレイキーを操作することにより使用者の所望する曲を選択する再生装置が特開昭５９−４０３５８号公報に開示されている。
　当該再生装置においては、マニュアルモード時にネクストプレイキーが操作されると、次の曲を目的アドレスとするサーチ動作を行い、オートプレイモード時にネクストプレイキーが操作されると、次のメモリチャンネル内容を目的アドレスとするサーチ動作を行う。
　　　【０００３】
　　【発明が解決しようとする課題】
　しかしながら、かかる従来の再生装置におけるネクストプレイキーは、使用者が１回操作するごとに１ステップづつステップ送りがなされるため、所望の曲を選択するのに、操作キーを複数回操作しなければならない場合が生じ、使用者は所望の曲を選択するのに非常に時間が掛かるといった問題点が生じる。
　　　【０００４】
　　【課題を解決するための手段】
　本発明の記録情報再生装置は、上述した点に鑑みてなされたもので、複数のプログラム情報が記録されている記録媒体から所望のプログラム情報を検索して再生する記録情報再生装置において、プログラム情報のアドレス情報を表示する表示部と、アドレス情報を指定する操作手段と、記録媒体から情報を読み取るピックアップと、ピックアップを記録媒体の半径方向に駆動するピックアップ駆動機構とを備え、表示部は、操作手段によって操作状態が継続している間、プログラム情報のアドレス情報の表示を一定周期で順次更新し、操作手段による操作状態の終了時に更新を停止し、ピックアップ駆動機構は、表示部に更新の停止によって最終的に表示されているアドレス情報に対応したプログラム情報を検索し再生することを特徴とする。
　　　【０００５】
　　【作用】
　本発明の記録情報再生装置によれば、表示部は、操作手段によって操作状態が継続している間、プログラム情報のアドレス情報の表示を一定周期で順次更新し、操作手段による操作状態の終了時に更新を停止し、ピックアップ駆動機構は、表示部に更新の停止によって最終的に表示されているアドレス情報に対応したプログラム情報を検索し再生するようにしたので、使用者は表示部により、選択指令した所望の曲を素早く確認でき、ピックアップは最終的に表示部に表示された曲を迅速に選択して演奏することができる。
　　　【０００６】
　　【発明の実施の形態】
　以下、本発明の実施例としてのオートローディングディスクプレーヤを添付図面を参照しつつ説明する。
　図１において、参照符号１は当該オートローディングディスクプレーヤの全体を示している。図１に示される如く、ハウジング２の一部を構成するフロントパネル３には、演奏さるべきディスク５を挿入するためのスロット３ａが左右方向に伸長して設けられていう。但し、矢印Ｘ方向が左方であり、矢印Ｙは前方を示す。また、矢印Ｚ方向が上方である。なお、ディスク５はレーザ光を用いて信号を記録し且つ読み取る方式のものであり、外径は約１２ｃｍとなつている。フロントパネル３にはまた、当該ディスクプレーヤの操作、例えばプレイスタート及びディスクイジェクトなどをなすための操作ボタン群６が配設されている。
　　　【０００７】
　図１に示されるように、ハウジング２内にはシャーシ７が設けられている。シャーシ７は本体７ａと、該本体の左端部に並設された２つのサブシャーシＢ７ｂ及びサブシャーシＣ７ｃと、本体７ａの右端前部に設けられたサブシャーシＤ７ｄとから成る。
　　　【０００８】
　図２には制御系のブロック図が示されており、制御回路１１１は例えばメモリを内蔵したマイクロコンピュータによって構成され、操作ボタン群６，各検知スイッチ１０４、１０６、１０８及び１１０等から発せられる各信号に基づいてローディング機構１１２、キャリッジ機構１１３及びスピンドルモータ４６等を後述するタイミングで駆動する。キャリッジ機構１１３及びスピンドルモータ４６は、キャリッジサーボ回路１１４及びスピンドルサーボ回路１１５を介して制御回路１１１により駆動される。制御回路１１１は各種の表示をなすディスプレイ１１６に対して表示情報を出力する。制御回路１１１には、ピックアップ１１７によりディスク５から読み取られた読取情報が信号処理回路１１８で復調等の信号処理が行なわれた後供給される。制御回路１１１は更に、ドライブ回路１１９を介して先述したソレノイドプランジャ８３をも駆動する。
　　　【０００９】
　このソレノイドプランジャ８３は、デイスクローディングの過程において蓋体７８を閉塞するために駆動するものである。このソレノイドプランジャ８３の駆動において、制御回路１１１は、図３のタイミングチャートに示すように、ローディング機構１１２のトレイが後方移動限界位置に達したことを検知する検知スイッチ１Ｏ６の検知出力（ａ）に応答して一定時間Ｔのパルス幅を有する駆動パルス（ｃ）を、続いて一定時間Ｔ経過後デューテイ（Ｄｕｔｙ）５０％程度の駆動パルス（ｃ）をドライブ回路１１９に供給する。そしてローディング機構１１２の移動部材が後方移動限界位置に達したこと、即ちローディング完了を検知する検知スイッチ１０８の検知出力（ｂ）に応答してソレノイドプランジャ８３の駆動を停止する。
　　　【００１０】
　このように、ソレノイドプランジヤ８３の駆動開始時に一定時間Ｔのパルス幅を有する駆動パルスを、更に一定時間Ｔ経過後デューティ５０％程度の駆動パルスをドライブ回路１１９に供給することにより、ソレノイドプランジャ８３には駆動時にプランジャ吸引に必要な大なる電流が供給され、吸引後にはその吸引状態を保持し得る程度の小なる保持電流が供給されることになる。
　なお、デューティ５０％程度の駆動パルスは、制御回路１１１を構成するマイクロコンピュータによって容易に生成し得る。
　　　【００１１】
　図４にはキャリッジサーボ回路１１４の構成が示されている。本図において、キャリッジモータ５１を駆動するキャリッジドライブ電圧は、ループスイッチ１２０及びイコライザ回路１２１を介して双方向ドライブ回路１２２に供給されている。双方向ドライブ回路１２２はドライブ電圧の極性に応じてキャリッジモータ５１を正逆両方向に駆動する。キャリッジドライブ電圧は、基準電圧＋Ｖｒｅｆを反転入力とするコンパレータＣＯＭＰ１の非反転入力、更には基準電圧−Ｖｒｅｆを非反転入力とするコンパレータＣＯＭＰ２の反転入力ともなる。基準電圧＋Ｖｒｅｆ及び−Ｖｒｅｆは、キャリッジモータ５１の不感帯に対応して設定される。コンパレータＣＯＭＰ１、ＣＯＭＰ２各出力はＯＲゲート１２３の２入力となり、ＯＲゲート１２３はキャリッジドライブ電圧が＋Ｖｒｅｆ以上かつ−Ｖｒｅｆ以下のとき高レベルの出力を発生する。ＯＲゲート１２３の出力はループスイッチ１２０に供給され、当該スイッチ１２０のオン／オフ制御信号になると共に、インバータ１２４及び抵抗Ｒを介してモータ５１の両端を短絡するための短絡手段としてのトランジスタＱのオン／オフ制御信号となる。
　　【００１２】
　かかる構成のキャリッジサーボ回路１１４においては、ドライブ電圧が＋Ｖｒｅｆ〜−Ｖｒｅｆの範囲内にあるときは、ＯＲゲート１２３の出力は低レベルにあるので、ループスイッチ１２０をオフ（開放）状態、即ちサーボループをオープン状態とする。これにより、ドライブ電圧が＋Ｖｒｅｆ〜−Ｖｒｅｆの範囲では、双方向ドライブ回路１２２には何らドライブ電圧は供給されることはないので、図５に示すように、モータ５１の起動に寄与しない程度の小なる電流は流れなくなり、その分（図の斜線部分）だけ消費電力を低減できることになる。このとき、オン状態にあるトランジスタＱによってモータ５１の両端が短絡され、モータ５１のロータが固定状態となるので、キャリッジは外部振動によって移動するという不具合も生じないのである。
　　【００１３】
　一方、キャリッジドライブ電圧が＋Ｖｒｅｆ以上かつ−Ｖｒｅｆ以下のときには、ＯＲゲート１２３の出力が高レベルとなって、ループスイッチ１２０がオン（閉成）状態となるので、ドライブ電圧の極性及びそのレベルに応じてモータ５１の駆動が行なわれることになる。このときトランジスタＱはオフ状態にある。
　　【００１４】
　次に、上記した構成のオートローディングディスクプレーヤの動作を演奏手順に沿って簡単に説明する。なお、図１は当該ディスクプレーヤの演奏前の初期状態を示している。
　　　【００１５】
　まず、図１に示されるようにディスク５をスロット３ａからハウジング２内に挿入する。但し、ディスク５はスロット３ａを閉塞する蓋体７８を押しながら進む。
　ディスク５がクランプされると同時に移動部材がその後方移動限界位置に達すると、該移動部材の後端部近傍が検知スイツチ１０８に係合して該検知スイッチが動作せられ、モータ２０が停止する。この状態においてディスクの演奏が可能となる。
　　　【００１６】
　演奏に際しては、図６において、まずステップ１でピックアップ１１７がホームポジョンにあるか否かを検知スイツチ１１０の出力に基づいて判定し、ホームポジシヨンにある場合には、ピックアップ１１７のフオーカスをとり（ステップ２）、ピックアップ１１７の読取り動作を開始する。そして、ステップ３において、ピックアップ１１７によって得られたアドレス情報に基づいてディスク５のリードインエリアである情報記録開始位置、即ちＴＯＣ（Ｔａｂｌｅ　ｏｆ　Ｃｏｎｔｅｎｔｓ）位置が算出される。ＴＯＣには、デイスクに収録されている曲数、総絶対時間、各曲毎の演奏時間等の情報が記録されており、演奏開始に際しこのＴＯＣの記録情報を読み取る必要がある。現在アドレスからＴＯＣ位置（目標アドレス）を算出する方法としては、例えば本願出願人により特願昭５８−２０１９９４号にで提案された方法、即ち目標アドレスに近づく程より正確に目標アドレスまでの距離が得られることを利用し、目標アドレスまでの距離が一定の値になるまで繰り返し目標アドレスまでの距離を計算してピックアップ１１７を移動させる方法である。
　　　【００１７】
　ステツプ３でＴＯＣ位置が算出されると、当該位置までビックアップ１１７を移動させ（ステツプ４）、続いて制御回路１１１に内蔵された一定時間Ｔａ（例えば１５秒）のタイマをセットする（ステツプ５）。ステツプ６において、上記一定時間Ｔａが経過したか否かが判定され、経過していなければＴＯＣの内容を読み取る（ステップ７）。続いて、ＴＯＣ内容の読取りが完了したか否かが判定され（ステップ８）、完了した場合にはプログラムエリアをサーチし（ステップ９）、演奏動作に移行する。
　　　【００１８】
　ステップ８において、ＴＯＣ内容の読取りが完了していないと判定された場合には、ステップ６に移行して上述の動作を繰り返す。この繰り返し動作において、ステップ６で上記一定時間Ｔａが経過したと判定された場合には、例えばリードインエリアに傷等があってハングアップを起しているものとしてステップ９へ移行し、プログラムエリアをサーチし演奏動作に入らせる。これにより、リードインエリアの傷等によってハングアップを起し、無限ループに入ってしまうということはなく、ＴＯＣ内容を全部読めなくても一定時間Ｔａが経過するとこのシーケンスが終了するので、システムの円滑な動作が可能となる。なお、ディジタルオーディオディスクプレーヤでは、ＴＯＣ内容を読めなくても各プログラム情報のサーチは可能である。
　ステップ１でビックアップ１１７がホームポジションにないと判定された場合には、キャリッジ機構１３によってピックアップ１１７のホームポジションへの移動が行われる（ステップ１０）。
　　　【００１９】
　ディジタルオーディオディスクには複数のプログラム情報（曲）が記録されており、プレーヤには、任意の曲を予め指定してメモリに記憶しておき、このメモリに記憶されている順番に従って順次曲を演奏するメモリプレイ機能が設けられている。
　　　【００２０】
　この指定曲をメモリに記憶する手順について、図７のフローチャートに従って説明する。
　スキャン（ＳＣＡＮ）キー（図２における操作ボタン群６の１キーであり、単独では図示されでいない）の押下（オン）によりスキャンモードとなる。
　このスキャンモードにおいては、各曲の頭部分を一定時間（例えば１０秒）だけ演奏し、ステップ１１で１０秒経過したと判定されると、次の曲をサーチして（ステップ１２）、以上の動作が収録された全ての曲に亘って行なわれる。
　このスキャンモードにおいて、ステツプ１１で１０秒経過していないと判断されかつステップ１３でスキャンキーが再度押下（オン）されたと判定された場合には、その曲をメモリに記憶すべくステップ１４へ移行し、押下されないと判定された場合には再びステップ１１へ移行する。
　　　【００２１】
　ステップ１４においては、メモリへの記憶可能曲数をＮとすると、メモリにＮ−１だけ記憶されているか否かが判定され、記憶されていないと判定された場合には、続いてステップ１５においてメモリにＮ、即ち記憶可能曲数だけ記憶されているか否かが判定される。ステップ１５においても記憶されていないと判定された場合には、その曲のアドレス情報（トラックナンバー等）をメモリに記憶し（ステップ１６）、しかる後次の曲ヘサーチし（ステップ１７）、続いてステップ１１に戻る。
　　　【００２２】
　ステップ１４において、メモリへの記憶曲数がＮ−１になつていると判定された場合には、メモリの記憶曲数が記憶可能限界数に達することをディスブレイ１１６に表示し（ステップ１８）、しかる後ステップ１６に移行してその曲のアドレス情報をメモリに記憶する。また、ステップ１５において、メモリへの記憶曲数がＮに達していると判定された場合には、一番古い曲のアドレス情報を消去し（ステップ１９）、しかる後ステップ１６に移行してその曲のアドレス情報をメモリに記憶する。
　　　【００２３】
　このようにしてメモリへの指定曲の記憶が行なわれるのであるが、かかる方法によれば、メモリに記憶する曲の内容を確認できると共に、スキャンキーをメモリへの曲の記憶用として兼用できることになる。
　なお、かかる方法は、ディジタルオーデイオディスクへの適用に限定されるものではなく、ディジタルオーディオテープや、更には従来のオーデイオテープであつても、曲間のカウント値をアドレス情報としたり、或はアドレス情報が記録されたものであれば適用可能である。
　　　【００２４】
　次に、メモリに記憶されている曲を順次演奏するメモリＰＬＡＹモードの動作について図８のフローチャートに沿って説明する。
　メモリＰＬＡＹモードになると、まず、ステツプ２０でメモリに指定曲が記憶されているか否かが判定され、記憶されている場合には、メモリ内の複数の指定曲のいずれかを選択するポインタが現在指しているデータ（アドレス情報）の呼出しを行ない（ステップ２１）、続いてポインタを１つ先のデータへ進め（ステップ２２）、しかる後指定曲へサーチする（ステップ２３）。
　続いて、ステップ２４で指定曲の演奏が終了したと判定され、その時点でメモリＰＬＡＹモードがまだ解除されていないと判定されると（ステツプ２５）、ステップ２１に戻り、ポインタが指している次の指定曲の演奏が行なわれ、以降ステツプ２５でメモリＰＬＡＹモードが解除されたと判定されるまで同じ動作を繰り返す。
　　　【００２５】
　ステップ２０でメモリに指定曲が記憶されていないと判定された場合には、ステップ２６に移行する。ステップ２６においては乱数によって指定曲を生成し、その生成した指定曲をメモリに、当該メモリの記憶可能曲数だけ記憶する。そして、メモリに記憶された最初の指定曲へサーチ（ステップ２３）し、以降ステップ２４及びステップ２５を経てステップ２１に戻る動作をステップ２５でメモリＰＬＡＹモードが解除されたと判定されるまで繰り返す。
　　　【００２６】
　このように、メモリに指定曲が記憶されていない場合に、乱数によつて指定曲を生成し、この生成された指定曲に従って演奏することにより、メモリに指定曲が記憶されているか否かを表示する必要がなく、またメモリＰＬＡＹモードが選択されると、どのような場合でも演奏が行なわれるので、使い勝手の向上も図ることができることになる。
　メモリＰＬＡＹモードが解除され、再びメモリＰＬＡＹモードになると、上記と同様に、ステツプ２０からの動作が繰り返されることになる。このとき、メモリ内のポインタは前回呼び出したデータの次のデータに進んでいるので、前回演奏した指定曲の次の指定曲から演奏されることになる。従つて、メモリＰＬＡＹモードの選択・解除を繰り返しても順次呼び出す曲が変化し、メモリＰＬＡＹモードを選択する度に同じ指定曲が呼び出されることはないのである。
　かかる方式も、ディジタルオーディオディスクへの適用に限定されるものではなく、ディジタルオーディオテープ等への適用も可能である。
　　　【００２７】
　これまでは、メモリに記憶された指定曲を演奏する場合について説明したが、次に、曲のアドレス情報であるトラックナンバー（ＴＮＯ）を、トラック（十／−）キーの操作によってＵＰ／ＤＯＷＮ変化させ、そのトラックナンバーの曲にサーチするトラックサーチについて図９のフローチャートに従って説明する。トラック（＋／−）キーのオンによりトラックサーチに入ると、まず、先述したメモリＰＬＡＹモードが選択されているか否かが判定され（ステップ２７）、メモリＰＬＡＹモードが選択されていない場合には、トラック（＋／−）キーがオンの間指定トラックナンバーは一定周期で順次＋１又は−１されてディスプレイ１１６に表示され（ステップ２８）、トラック（＋／−）キーのオフにより最終的にディスプレイ１１６に表示された指定トラックナンバーへサーチし（ステップ２９）、演奏動作に入る。
　　　【００２８】
　ステップ２７において、メモリＰＬＡＹモードであると判定された場合には、メモリ内の先述し７たポインタが順次＋１又は−１され（ステップ３０）、トラック（＋／−）キーのオフにより最終的にポインタが指示したトラックナンバーへサーチし（ステップ３１）、その指定曲の演奏動作に入る。
　　　【００２９】
　このように、メモリＰＬＡＹモードとトラックサーチを合わせた機能は従来全くなかった新規な機能であり、これによれば、メモリに記憶された指定曲の中で更に所望の曲を迅速に選択して演奏することができ、特に複数毎のディスクを適宜選択して自動的に再生するオートチェンジャに適用した場合に有効となる。
　　　【００３０】
　次に、ピックアップ１１７の情報検出点（スポット光）がディスク５の記録トラックを一定数だけ飛び越すジャンプ動作と再生動作とを交互に繰り返す高速再生動作、即ち早送り（ＦＦ）及び早戻し（ＲＥＶ）動作について、図１０のフローチャートに従って説明する。
　ところで、ディスクに収録されている複数の曲のアドレス情報としては、各曲毎に対応して設定されたトラックナンバーの他に、例えば楽音の場合の楽章等のように、その曲を更に細分化した場合の各区分に対応したインデクス（ＩＸ）があり、これらアドレス情報はいわゆるＣＤフォーマットにおけるサブコードのＱチャンネルに記録されており、ピックアップ１１７の読取情報から検出することができる。
　　　【００３１】
　図１０においで、まず、ピックアップ１１７の読取情報に基づいて上述したインデクス（ＩＸ）が変化したか否かが判定され（ステップ３２）、変化しないと判定された場合には、続いてトラックナンバーが変化したか否かが判定され（ステップ３３）、ここでも変化しないと判定された場合には、一定数ｎだけトラックをジャンプし（ステップ３４）、ステップ３２に戻る。ステップ３２でインデクスが変化したと判定された場合には、そのまま演奏動作に入る。ステップ３３でトラックナンバーが変化したと判定された場合にも、同様に、演奏動作に移行する。
　　　【００３２】
　このように、高速再生動作において、インデクス或はトラックナンバーが変化した時点で自動的に高速再生動作を中止して通常再生動作に移行することによって、ＦＦ及びＲＥＶキーをノンロック式にしなくても、ユーザの意に反して所望の再生位置が行き過ぎることはなく、特に車載用ディスクプレーヤの場合、安全性の上で有効となる。
　　　【００３３】
　以上説明した特殊な再生モードでは、所望の曲が任意の順序で演奏されるが、ノーマルモード再生時にはディスクの最初の曲から順次演奏されることは言うまでもない。
　演奏が終了してキャリッジ４８がその移動限界位置に達すると、キャリッジ４８及びターンテーブル４５は停止せしめられ、同時にモータ２０が反転動作を始める。従って、トレイ１０、移動部材、コンテナ、移動プレート、案内部材、及びクランプ機構等は上述したディスクローディング時の動作と全く逆の過程を辿って演奏開始前の位置に復帰せられる。また、キャリッジもホームポジションに復帰せしめられる。
　かくしてディスク５は回収されるのである。
　　　【００３４】
　　【発明の効果】
　以上説明したように、本発明による記録情報再生装置によれば、表示部は、操作手段によって操作状態が継続している間、プログラム情報のアドレス情報の表示を一定周期で順次更新し、操作手段による操作状態の終了時に更新を停止し、ピックアップ駆動機構は、表示部に更新の停止によって最終的に表示されているアドレス情報に対応したプログラム情報を検索し再生するようにしたので、使用者は表示部により、選択指令した所望の曲を素早く確認でき、ピックアップは最終的に表示部に表示された曲を迅速に選択して演奏することができる。
　　　【００３５】
【図面の簡単な説明】
　　【図１】
　本発明に係るオートローディングディスクプレーヤの全体を示す概略斜視図。
　　【図２】
　本発明に係るオートローディングディスクプレーヤの制御系を示したすブロック図。
　　【図３】
　図２におけるソレノイドプランジャの駆動方法を説明するための波形図。
　　【図４】
　図２におけるキャリッジサーボ回路の構成を示すブロック図。
　　【図５】
　図４の回路動作を説明するための波形図。
　　【図６】
　図２に示す制御系の動作説明のためのフローチャート。
　　【図７】
　図２に示す制御系の動作説明のためのフローチャート。
　　【図８】
　図２に示す制御系の動作説明のためのフローチャート。
　　【図９】
　図２に示す制御系の動作説明のためのフローチャート。
　　【図１０】
　図２に示す制御系の動作説明のためのフローチャート。
　　【符号の説明】
　２・・・・ハウジング
　３・・・・スロット
　５・・・・ディスク
　１１１・・制御回路